(57)【要約】【課題】  ネジ式キャップ用の容器において、キャップと容器口部の係合度合いを強化する。【解決手段】  口部外周に複数のネジ山よりなる多条ネジを形成した容器において、キャップを締めたときにキャップのネジ山が乗り上げる干渉部を、各ネジ山の終端部付近の下側に盛り上げて形成する。また、干渉部の終端寄りに凹部を形成し、更にその終端寄りに停止部を盛り上げ形成する。また、各ネジ山の始端部に、下側に向かって膨出する膨出部を形成する。干渉部、凹部、停止部及び膨出部の作用でキャップと容器口部の係合度合いが強化される。【選択図】      図１
2005053577.tif 000002
【特許請求の範囲】
【請求項１】
口部外周に複数のネジ山よりなる多条ネジを形成した容器において、キャップを締めたときにキャップのネジ山が乗り上げる干渉部を、各ネジ山の中間部の下側に盛り上げて形成したことを特徴とする容器
【請求項２】
請求項１の容器において、前記干渉部の直上のネジ山部分の高さを、一般部分のネジ山高さよりも高くしたことを特徴とする容器
【請求項３】
請求項１又は２の容器において、前記干渉部の末端側に凹部を形成し、更にその末端側に停止部を盛り上げ形成したことを特徴とする容器
【請求項４】
請求項３の容器において、前記停止部の盛り上げ高さを前記干渉部の盛り上げ高さよりも高くしたことを特徴とする容器
【請求項５】
請求項４の容器において、前記干渉部の盛り上げ高さをネジ山の高さよりも低くし、前記停止部の盛り上げ高さをネジ山の高さとほぼ等いか、やや高くしたことを特徴とする容器
【請求項６】
口部外周に複数のネジ山よりなる多条ネジを形成した容器において、各ネジ山の一部に、下側に向かって膨出する膨出部を形成したことを特徴とする容器
【請求項７】
請求項１〜５のいずれかの容器において、前記各ネジ山の始端部に、下側に向かって膨出する膨出部を形成したことを特徴とする容器
【発明の詳細な説明】
【技術分野】
【０００１】
本発明は、口部外周に複数のネジ山よりなる多条ネジを形成した、いわゆるネジ式キャップ用の容器に関する。
【背景技術】
【０００２】
ネジ式キャップ用容器は、少ない角度だけキャップを回転させて開栓、閉栓することができるので利便性が高い。しかし、キャップと容器口部の係合度合いが弱く、キャップが緩みやすいという問題がある。特に、ホットパック（殺菌・防腐のために内容物を高温状態で充填する方法）を行う場合には、温度変化や徐冷後の圧力差によってキャップが緩みやすく、少しでもキャップが緩むと空気が容器内に吸い込まれ、内容物が変質しやすくなる。このような傾向はキャップが変形しやすい素材であるほど高くなる。したがって、従前はホットパックを行うネジ式キャップ容器においては、キャップは変形しにくい金属製のものが専ら用いられ、プラスチック製のものを用いることは困難とされていた。
【特許文献１】実開昭５６−１７５４４９号公報
【発明の開示】
【発明が解決しようとする課題】
【０００３】
本発明は、ネジ式キャップ用の容器において、キャップと容器口部の係合度合いを強化し、ホットパックを行うネジ式キャップ容器においてもプラスチック製のキャップを使用できる、キャップの緩みにくい容器を開発することを課題とするものである。
【課題を解決するための手段】
【０００４】
本発明は、口部外周に複数のネジ山よりなる多条ネジを形成した容器において、キャップを締めたときにキャップのネジ山が乗り上げる干渉部を、各ネジ山の中間部の下側に盛り上げて形成したことを特徴とする容器である。
【０００５】
ネジ山の中間部下側に干渉部を設けたため、キャップを締めたときに該干渉部にキャップのネジ山が乗り上げ、干渉部とキャップのネジ山の頂部とが干渉し、その摩擦力によってキャップと容器口部の係合度合いが強化され、キャップが緩みにくくなる。
【０００６】
また本発明は、口部外周に複数のネジ山よりなる多条ネジを形成した容器において、各ネジ山の一部に、下側に向かって膨出する膨出部を形成したことを特徴とする容器である。
【０００７】
キャップを締めたときに該膨出部とキャップのネジ山の側面とが干渉し、その摩擦力によってキャップと容器口部の係合度合いが強化され、キャップが緩みにくくなる。
【発明の効果】
【０００８】
本発明の容器は、キャップが緩みにくいので、キャップの素材としてプラスチック等の変形しやすい素材を使用できる。特に、ホットパックを行う場合でもプラスチック製のキャップを使用でき、コストダウンが可能となる。
【発明を実施するための最良の形態】
【０００９】
干渉部の盛り上げ高さは、通常、容器ネジ山の高さの４０〜８０％程度とすることが望ましい。干渉部の位置は、容器ネジ山の下側のどの位置でも良いが、通常は容器ネジ山の中央付近又はやや末端寄りが好ましい。膨出部の下側への膨出量は通常０．１〜０．５ｍｍ程度とするのがよい。
【００１０】
干渉部の直上のネジ山部分（干渉部直上部）の高さを、一般部分のネジ山高さよりも高くすると（０．０３〜０．１ｍｍ程度）、キャップの締めすぎでキャップのネジ山が干渉部から容器のネジ山を乗り越え、螺合が解除されてしまうオーバーターンが起こりにくくなる。
【００１１】
干渉部の末端側に凹部を形成し、更にその末端側に停止部を盛り上げ形成すると、キャップと容器口部の係合度合いがより強化されると共に、オーバーターンを防止する効果が一層高くなる。この場合、停止部の盛り上げ高さを干渉部の盛り上げ高さよりも高くすることが望ましい。具体的には、干渉部の盛り上げ高さを一般のネジ山の高さよりも低くし、停止部の盛り上げ高さを一般のネジ山の高さとほぼ等しいか、やや高くするのがよい。
【実施例１】
【００１２】
図１は実施例１の容器１の側面図、図２は容器１の口部の展開図、図３はＡＡ線端面図、図４はＢＢ線端面図、図５は膨出部６の拡大図である。
【００１３】
容器１はガラスびんで、口部外周に４条のネジ山２よりなる多条ネジ（４条ネジ）が形成され、その下部にはビード８が環状に膨出形成されている。容器１はプラスチック製のネジ式キャップによって密封可能で、ホットパックに対応している。
【００１４】
図１〜３、５に示されるように、各ネジ山２の始端部には下側に向かって膨出する膨出部６が形成されている。その下側方向への膨出量ｔは０．３ｍｍである（図５）。また、各ネジ山２の中間部下側には、干渉部３が盛り上げるように形成されている。その末端側には干渉部３よりも凹んだ凹部４が形成され、更にその末端側には停止部５が盛り上げるように形成されている。
【００１５】
図４において、内側の鎖線ａはネジ山が形成されない口部外周部分のレベル、外側の鎖線ｂは一般のネジ山の頂部のレベルを示している。同図に示されるように、干渉部３は登り斜面３ａを介して徐々に盛り上がり、その最高部における盛り上がり高さ（０．８ｍｍ）は一般のネジ山の高さ（１．２４ｍｍ）よりもやや低く（６５％の高さ）なっている。干渉部３の末端側は徐々に高さが低くなる下り斜面３ｂとなり、凹部４に連なっている。凹部４の最深部のレベルはネジ山が形成されない口部外周部分のレベル（鎖線ａ）となっている。凹部４の末端側は徐々に高さを増す登り斜面５ａとなり、停止部５に連なっている。停止部５の最高部における盛り上がり高さ（１．２４ｍｍ）は一般のネジ山の高さ（鎖線ｂ）と同じになっている。
【００１６】
図３に示されるように、干渉部３の直ぐ上の干渉部直上部７のネジ山の高さ（１．３ｍｍ）は、他の部分の一般のネジ山の高さ（１．２４ｍｍ）よりもやや高くなっている。
【００１７】
キャップを締めていくと、キャップのネジ山先端部は登り斜面３ａに沿って、徐々に干渉部３に干渉すると共に変形しながら進み、干渉部３の上に乗り上げる。キャップのネジ山先端部は更に凹部４に進み、凹部４においては干渉がなくなるのでネジ山は弾性復帰する。更に進むと停止部５の登り斜面５ａに当接し、最先端部が変形しながらこれに乗り上げるが、乗り上げる抵抗により停止し、オーバーターンが防止される。また、このとき干渉部直上部７のネジ山の高さが高くなっているので、キャップのネジ山が干渉部直上部７のネジ山を乗り越えて螺合が解除されることが防止される。
【００１８】
キャップの締め終わり状態において、キャップのネジ山は干渉部３においては干渉によりやや押し潰されたように変形し、干渉部３に強く押し付けられているので、摩擦抵抗によって開栓のためのトルクが大きくなり、キャップの緩みが防止される。更に、凹部４においてはキャップネジ山は変形していないので、凹部４に食い込んだ状態になっている。このため、開栓のためのトルクが更に大きくなり、キャップの緩みが更に防止される。また、膨出部６とキャップのネジ山の側面とが干渉し、その摩擦力によってキャップと容器口部の係合度合いが一層強化され、キャップが更に緩みにくくなっている。
【実施例２】
【００１９】
図６は実施例２の容器１１の側面図、図７は容器１１の口部の展開図、図８はＣＣ線端面図、図９はＤＤ線端面図である。
【００２０】
容器１１はガラスびんで、口部外周に４条のネジ山１２よりなる多条ネジ（４条ネジ）が形成され、その下部にはビード１８が環状に膨出形成されている。容器１１はプラスチック製のネジ式キャップによって密封可能で、ホットパックに対応している。
【００２１】
図６〜８に示されるように、各ネジ山１２の始端部には下側に向かって膨出する膨出部１６が形成されている。その下側方向への膨出量ｔは０．３ｍｍである。また、各ネジ山１２の中間部下側には、干渉部１３が盛り上げるように形成されている。その末端側には干渉部１３よりも凹んだ凹部１４が形成され、更にその末端側には停止部１５が盛り上げるように形成されている。
【００２２】
図９において、内側の鎖線はネジ山が形成されない口部外周部分のレベルを示している。同図に示されるように、干渉部１３は登り斜面１３ａを介して徐々に盛り上がり、その最高部における盛り上がり高さ（０．８ｍｍ）は一般のネジ山の高さ（１．２４ｍｍ）よりもやや低く（６５％の高さ）なっている。干渉部１３の末端側は徐々に高さが低くなる下り斜面１３ｂとなり、凹部１４に連なっている。凹部１４の最深部のレベルはネジ山が形成されない口部外周部分のレベル（鎖線）となっている。凹部１４の末端側は徐々に高さを増す登り斜面１５ａとなり、停止部１５に連なっている。停止部１５の最高部における盛り上がり高さ（１．３ｍｍ）は一般のネジ山の高さ（１．２４ｍｍ）よりもやや高くなっている。
【００２３】
図８において、鎖線ｃは一般のネジ山の形状、鎖線ｄは干渉部１３の形状を示している。同図に鎖線ｄで示されるように、干渉部１３の直ぐ上の干渉部直上部のネジ山の高さ（１．３ｍｍ）は、他の部分の一般のネジ山の高さ（１．２４ｍｍ）よりもやや高くなっている。
【００２４】
実施例２が実施例１と異なるのは、第一に、凹部１４の長さが長くなっていることである。凹部１４の長さは、干渉部１３の頂部末端側から停止部１５の頂部始端側までの中心角が４０°となっている。このように凹部の長さを十分に長くすると、凹部においてキャップネジ山が完全に弾性復帰し、凹部に十分に食い込むので、開栓のためのトルクが大きくなると共に、キャップを閉める際容器のネジ山を乗り越えにくくなり、オーバーターンが防止される。第二に、停止部１５の斜面１５ａの角度（容器口部外周面となす角度）を４５°と大きくし、更に停止部１５の高さ（１．３ｍｍ）を一般のネジ山の高さ（１．２４ｍｍ）よりもやや高くした点である。これにより、キャップを閉める際のオーバーターンが一層防止される。
【産業上の利用可能性】
【００２５】
本発明の容器の素材は、ガラス、プラスチック又は金属製とすることができる。また、金属製、プラスチック製又は金属とプラスチックを複合したキャップとの組み合わせに適合している。プラスチック製又は金属とプラスチックを複合したキャップと組み合わせたホットパック用の包装用ガラスびんとしての利用価値が高い。
【図面の簡単な説明】
【００２６】
【図１】実施例の容器１の側面図である。
【図２】容器１の口部の展開図である。
【図３】ＡＡ線端面図である。
【図４】ＢＢ線端面図である。
【図５】膨出部６の拡大図である。
【図６】実施例の容器１１の側面図である。
【図７】容器１１の口部の展開図である。
【図８】ＣＣ線端面図である。
【図９】ＤＤ線端面図である。
【符号の説明】
【００２７】
１  容器
２  ネジ山
３  干渉部
４  凹部
５  停止部
６  膨出部
７  干渉部直上部
８  ビード
１１  容器
１２  ネジ山
１３  干渉部
１４  凹部
１５  停止部
１６  膨出部
１７  干渉部直上部
１８  ビード
【図１】
2005053577.tif 000003
【図２】
2005053577.tif 000004
【図３】
2005053577.tif 000005
【図４】
2005053577.tif 000006
【図５】
2005053577.tif 000007
【図６】
2005053577.tif 000008
【図７】
2005053577.tif 000009
【図８】
2005053577.tif 000010
【図９】
2005053577.tif 000011